(57)【特許請求の範囲】
【請求項１】
時計ムーブメント（１）を自動的に巻き上げるために第１の連動列（３）によって回転錘（２）に結合されたエネルギー源（３６）を含む時計ムーブメント（１）において、前記エネルギー源（３６）は、所定の時刻に始動可能である振動アラーム機構を形成するように第２の連動列（４）によって作動デバイス（４１）および振動要素（４２）に連結され、
前記振動アラーム機構の前記振動要素（４２）が、前記回転錘（２）であることを特徴とする、時計ムーブメント。
【請求項２】
前記第２の連動列（４）が、前記第１の連動列（３）と共用する、少なくとも１つの要素を含む、請求項１に記載の時計ムーブメント。
【請求項３】
前記エネルギー源が、手動巻上げ機構（３７）を用いて巻き上げ可能である香箱（３６）である、請求項１〜２のいずれかに記載の時計ムーブメント。
【請求項４】
前記振動アラーム機構が、アラーム時間外に第１のこはぜ（４１１）によって回転することが防止され、前記アラームが始動されたときに自由に回転する、請求項１に記載の時計ムーブメント。
【請求項５】
前記第１のこはぜ（４１１）が、前記第１の連動列（３）の輪列要素（３１、３２、３３、３４）のうちの１つに作用する、請求項４に記載の時計ムーブメント。
【請求項６】
前記第２の連動列（４）が、前記第１の連動列（３）と同一である、請求項１〜５のいずれかに記載の時計ムーブメント。
【請求項７】
前記エネルギー源（３６）に蓄えられた前記エネルギーが、前記連動列（３、４）の歯車要素（３１、３２、３３、３４）を、前記エネルギー源（３６）が前記回転錘（２）によって巻き上げられているときに観察される方向の反対方向に作動させる、請求項６に記載の時計ムーブメント。
【請求項８】
さらに、アラームの作動の持続時間を限定するためのデバイス（４３）を含むことを特徴とする、請求項１〜７のいずれかに記載の時計ムーブメント。
【請求項９】
前記アラームの作動の持続時間を限定するためのデバイス（４３）が、前記第２の連動列（４）と噛み合う車（４３２）と、前記車（４３２）と噛み合う第２のこはぜ（４３１）とを含む、請求項８に記載の時計ムーブメント。
【請求項１０】
前記アラームの作動の持続時間を限定するためのデバイス（４３）が、前記第１の連動列（３）および前記第２の連動列（４）に共通する要素と噛み合い、前記アラームの作動の持続時間を限定するためのデバイス（４３）が、前記エネルギー源（３６）が前記回転錘（２）によって巻き上げられているときは機能せず、前記アラームが始動されたときにブロッキング動作を有することを特徴とする、請求項８または９に記載の時計ムーブメント。
【請求項１１】
前記第２のこはぜ（４３１）が、前記振動アラーム機構の前記第１のこはぜ（４１１）に連結される、請求項５に従属する請求項９、または、請求項５に従属する請求項９に従属する請求項１０に記載の時計ムーブメント。
【請求項１２】
前記第２の連動列（４）および前記アラームの作動の持続時間を限定するためのデバイス（４３）の伝動比が、前記アラームを作動させるために使用される前記エネルギーが、前記香箱（３６）の１回転に限定されるように構成される、請求項４に従属する請求項８から１１のいずれかに記載の時計ムーブメント。
【請求項１３】
前記アラームの作動の持続時間が、前記アラームの作動の持続時間を限定するためのデバイス（４３）の前記車（４３２）の１回だけの回転によって決定される持続時間に対応する、請求項４に従属する請求項９、または、請求項４に従属する請求項９に従属する請求項１０から１２のいずれかに記載の時計ムーブメント。
【請求項１４】
ケースと、前記ケース内に収容される、請求項１〜１３のいずれかに記載の時計ムーブメントとを含む腕時計。
【発明の詳細な説明】
【技術分野】
【０００１】
本発明は、アラーム機構を含む時計ムーブメント、特に振動アラームを含むこのタイプの自動巻きムーブメントであって、腕時計、および懐中時計またはそのようなものを対象にしたムーブメントに関する。
【背景技術】
【０００２】
「Ｍａｓｔｅｒ  Ｇｒａｎｄ  Ｒｅｖｅｉｌ」の名称でＪａｅｇｅｒ  Ｌｅｃｏｕｌｔｒｅ社によって販売される腕時計は、ユーザによって予め指定された時間にアラームを自動的に開始するためのアラーム機構を含む。このアラーム機能は、ムーブメントに連結された機構によって実施され、この機構は、独立した香箱と、アラーム時間をプログラムするための設定システムと、ムーブメントの輪列に連結され、定刻にアラームを作動させる始動機構と、ユーザに警告するための時打ち機能とを含む。時打ち機能は、音響信号を発生させるためにハンマによって打ちつけられるゴング、および可聴の音響信号を発生させずに時計を振動させるための手段の両方を含む。音響アラームを始動させるか、あるいは無音振動アラームを始動させるかを選択するためのスイッチが存在する。
【０００３】
しかし、この時計は欠点を有する。実際、アラーム機構は、追加の動力源を必要とし、具体的には機構の無音アラーム作動モードのための要素を含んでおり、これが、構造の複雑さおよびサイズを増大させている。さらに、振動幅が限定される。
【発明の概要】
【発明が解決しようとする課題】
【０００４】
本発明の主な目的は、有利には基本的な自動巻きムーブメントの香箱によって蓄えられたエネルギーを使用してアラーム機構を作動させる自動巻き時計ムーブメントを提供することによって、上述した従来技術のこれらの欠点の１つまたは複数を克服することである。
【０００５】
本発明の目的はまた、有利にはムーブメントの要素を使用し、大きな振幅の振動を生じさせる無音振動アラーム機構を含む自動巻き時計ムーブメントを提供することである。
【０００６】
本発明の別の目的は、特に、ムーブメント内への実装が簡単かつ安価である設計を備えたこのタイプのアラーム・デバイスを含む時計ムーブメントを提供することである。
【０００７】
したがって、本発明は、ムーブメント１を自動的に巻き上げるために第１の連動列３を介して回転錘２に結合されたエネルギー源３６を含む時計ムーブメント１であって、エネルギー源３６はまた、所定の時間に開始することができる振動アラーム機構を形成するために、第２の連動列４を介して作動デバイス４１および振動要素４２に結合されることを特徴とする時計ムーブメント１に関する。
【課題を解決するための手段】
【０００８】
こうして得られた振動アラーム機構は、簡単なものであり、専用のエネルギー源を必要としないという利点を有する。このため、時計のキャリバ（ｃａｌｉｂｒｅ）の増大を必要とすることなく、時計ケース内に、たとえばクロノグラフ・モジュールなどの他のモジュールを収容するためのスペースが確保される。さらに、本発明の好ましい実施形態によって回転錘を振動要素として使用することにより、従来の振動要素より大きい振幅の振動が実現されると同時に、組み立てられる部品の数も低減され、好ましい変形形態によって、巻き列の数多くの部品の再利用も同様に行われる。これは、組立てをより容易にし、このタイプのムーブメントを含む時計の製造コストを低減することにつながる。
【０００９】
本発明の他の特徴および利点は、付属の図を参照して、以下の説明からより明確になるであろう。
【図面の簡単な説明】
【００１０】
【図１】錘かなの高さにおける断面の、本発明の好ましい実施形態による振動アラームを形成する図１のムーブメントの上面図である。
【図２】回転錘が組み立てられた状態の、本発明の好ましい実施形態によるデバイスの上面図である。
【図３】図２のＩＩＩ−ＩＩＩの線に沿ったデバイスの断面図である。
【発明を実施するための形態】
【００１１】
図１は、本発明の好ましい変形形態による腕時計の時計ムーブメント１の上面図を示している。提案された時計ムーブメント１は、振動アラーム機構と当業者に知られている自動巻上げ機構を含む時計ムーブメントを関連付ける。ムーブメント１のこの自動巻上げ機構は、（図２および３の下方に見ることができる）回転錘２の回転を使用して、輪列３１、３２、３４（これらは、歯付き車を形成する回転錘２の錘かな２１（図２に示す）に噛み合う連動列３を形成する）を介して、機械エネルギーを香箱３６内に蓄える。回転錘２の重力中心が、錘かな２１の回転軸でもある回転錘２の回転軸に対してずれるため、ユーザの腕の動きにより、回転錘２は時計ケースに対して回転する。回転錘２のこの回転は、香箱３６の角穴車３３を連動列３の出口で回転させる。角穴車３３の回転は、香箱３６内部のぜんまいを巻き上げ、したがって、香箱３６の歯と噛み合う（この図には示されないが、図３で見得る）主輪列７に向かって分配される機械エネルギーを蓄える。図１に示す好ましい実施形態によれば、この巻上げ機構は、その作動が以下で説明される、たとえばＢ．Ｈｕｍｂｅｒｔ著「Ｌａ  ｍｏｎｔｒｅ  Ｓｕｉｓｓｅ  ａ  ｒｅｍｏｎｔａｇｅ  ａｕｔｏｍａｔｉｑｕｅ」の３５、３７頁に説明されているような従来の切り替え車３１により、一方向のみに巻き上げるタイプである。車セット３２および３４は、各々が同軸の一体車およびかなを含む減速車セットであり、その目的は、錘かな２１の回転速度に従って輪列３の出口で得られる回転速度を調整するための適切な歯車比を確立することである。輪列のすべての車セットの車およびかなは、図３に示されており、ここでは、互いに関連するさまざまな要素の伝動を示している。
【００１２】
図２に示すように、回転錘２は、底板６に固定された支持体５上に回転可能に装着され、底板６は、さらに時計ケースに固定される。２枚の歯車（第１歯車部および第２歯車部）を有する切り替え車３１も、支持体５上に回転可能に装着され、支持体５は、回転錘２の錘かな２１が、切り替え車３１の第１歯車部３１１と噛み合い、切り替え車３１の第２歯車部３１２が、減速車セット３２の車と噛み合うように適切な切欠部分を有する。これらの第１および第２の車セットは、図２では見えないが、図３に見える。切り替え車３１は、「自由車」を形成する。回転錘２の回転の第１の方向では、切り替え車３１の第１の車セット３１１の第１歯車部が、前記切り替え車の第２の車セット３１２の第２歯車部に結合され、一方で、回転錘２の回転の第２の方向では、切り替え車３１の第１歯車部３１１は、第２歯車部３１２から結合解除される。切り替え車は、アーム３１３がその上に装着されたスタッドを含む、（図１では部分的に見ることができるが、図３の断面でも見ることができる）第１の車セット３１１に固定されたこはぜシステムからなるのに対して、止め部材は、第２の車セット３１２の周囲に形成され、第２の車セット３１２はまた、その回転軸上で星形のハブと一体になる。こはぜ３１３のアームは、ハブおよび（図１では見ることができない）止め部材と共働し、それにより、これらは、回転錘２の回転Ｓ１の方向では第２の車セットを回転させ、回転Ｓ２の反対方向では係合解除される。
【００１３】
切り替え車３１と噛み合う減速車３２は、支持体５に対して回転可能に装着される。減速車３２は、いずれも図３で見ることができる減速車３２１およびかな３２２を含む。減速車３２１は、プレート６と一体になる受け部３５上に回転可能に装着された角穴中間車とも呼ばれる別の減速車セット３４の車３４１と噛み合う。車３４１は、香箱３６のぜんまいが巻き上げられることを可能にする角穴車３３と噛み合う。
【００１４】
図２の線ＩＩＩ−ＩＩＩに沿った断面図である図３に示すように、香箱３６の角穴車３３は、受け部３５に回転可能に装着されるが、香箱３６のハブと一体回転し、ムーブメントを自動的に巻き上げるために第２の減速車セット３４のかな３４２と噛み合う。しかし、香箱３６の手動巻上げは、巻上げ車３７１を介して可能であり、巻上げ車３７１は角穴車３３に噛み合う。巻上げ車３７１は、受け部３５に回転可能に装着され、外側の刻み付けローラ３７２が取り付けられた巻真またはりゅうずを作動させることによって手動で時計を巻き上げることを望むユーザによって固定して回転させることができる。その結果として、回転錘２を回転させる、または手動で巻き上げることによって、香箱３６のぜんまい（図示せず）内に蓄えられたエネルギーを得ることができ、その手動巻きデバイス３７は、刻み付けローラ３７３および巻上げ車３７１によって形成される。後者の巻上げ車は、図２では、回転錘２によって隠されている。
【００１５】
本発明によるムーブメント１は、自動ムーブメント１と同じエネルギー源３６を使用する振動アラーム機構と、図１および２で見ることができる、作動デバイス４１が設けられた連動列４と、振動要素４２とをも含む。振動アラーム・デバイスの作動デバイス４１は、こはぜ４１１およびばね４１２によって図示された変形形態によって形成され、このこはぜ４１１およびばね４１２は、こはぜ４１１を輪列４の車セットの１つ歯上に押し付けることによって、ばね４１２を介して、香箱３６がアラーム時間外に回転することを防止するが、アラームが、好ましくはユーザによって調整可能である所定時間に開始したときは、前記歯を正確に解放する。アラームが所定時間に作動したとき、こはぜ４１１は、連動列４の輪列の車セットの１つから歯を解放するように枢動し、したがって香箱３６内に蓄えられたエネルギーを放出する。制御デバイス（図示せず）は、こはぜ４１１を、アラーム時間外の係止位置と、アラーム時間中の解放位置の間で枢動させる。
【００１６】
図１から３によって示される好ましい実施形態によれば、振動アラーム機構の振動要素４２は、回転錘２である。その結果として、この要素は、同じ構造要素が２つの異なる論理上の要素に対応することを示すために図２および３では「２／４２」と示してある。この構成により、ムーブメントに対していかなる追加要素を必要とすることなく振動幅が最大限にされ、したがってスペースが確保される。さらに回転錘２は、これが振動要素４２として作用するときに駆動する、または駆動される。回転錘２によって形成された振動アラーム機構の振動要素４２は、ユーザの手首上で検出可能な振動を発生させる目的のものである。時計が硬い表面に載っているとき、アラーム機構によって発生した振動は、時計をわずかに跳ね上げ、それにより、前記表面との衝撃時に音を生み出すことになる。
【００１７】
連動列３および４の両方に共通する香箱３６によって形成された、振動アラーム機構および主輪列７に動力供給するために使用されるエネルギー源は、ここでは単に機械的なものである。しかし、本発明の振動アラーム・デバイスに動力供給するためおよび／または通常時間の表示のために、たとえば電気または機械電気の動力の別のエネルギー源を企図することが可能である。たとえば、本発明をＥＴＡ  Ａｕｔｏｑｕａｒｔｚ機構に適用することが可能であり、この場合、回転錘からの機械エネルギーは、Ｌａｖｅｔタイプのモータに電気エネルギーを供給する畜電器に結合された発生器に動力供給するために使用される。
【００１８】
図１から３に示す好ましい実施形態によれば、第１および第２の連動列３、４は、香箱３６以外に、共通の少なくとも１つの要素を有する。図示する変形形態によれば、連動列３の要素のすべて、すなわち切り替え車３１および減速車３２、３４もまた、香箱３６から、アラーム機構の振動要素４２である回転錘２までの連動列４と共通するものである。言い換えれば、図示する実施形態によれば、連動列３および４は、同一であり、それにより、自動巻上げ連鎖車のセットすべては、いかなる追加の車セットを必要とすることなく、振動アラーム機構によって再利用可能である。しかし、通常の巻上げ機構とは異なり、エネルギーを香箱３６内に蓄えることを可能にするためにりゅうず車３７上に配置されたこはぜは存在しないことが言えよう。このこはぜは、ここでは切り替え車３１上で作用するこはぜ４１１に置き換えられているが、図示しない他の変形形態によれば、たとえば角穴車３３または減速車３２、３４の一方または他方などの、第１の運動巻上げ連鎖３の輪列の任意の要素上でも作用し得る。本発明によるこはぜ４１１は、その結果として、２つの役割を有する。すなわち、こはぜ４１１は、振動アラーム機構を始動させることに加えて、エネルギーを香箱３６内に蓄えるために巻上げ機構において作用し、故に、従来の香箱のこはぜに置き換わるものである。
【００１９】
本発明の好ましい変形形態によれば、ムーブメントの巻上げ機構と同じ連動列を使用する振動アラーム機構は、アラーム機構の振動要素４２を形成する回転錘２を回転の「自由」方向に駆動させる、すなわちムーブメントを巻き上げない。香箱３６内に蓄えられたエネルギーは、こはぜ４１１によって放出され、第１の連動列３の輪列要素３１、３２、３３、３４は、香箱が回転錘２によって巻き上げられているときに観察される方向とは反対の方向に駆動され、このときこれらの同じ要素は、第２の連動列４の一部を形成すると考えられる。実際、第１の連動列３は、錘かな２１から切り替え車３１を作動させ、前記車３１の第１の車セット３１１の回転は、第２の車セット３１２を回転させ、第１の減速車３２、次いで角穴中間車３４および最終的には角穴車３３を噛み合わせ、その結果香箱３６のぜんまいを錘かなの回転Ｓ１の方向に巻き上げる。しかし、第２の連動列は、角穴車３３から始めて反対方向に角穴中間車３４に向かい、次いで減速車３３、切り替え車３１に向かい、このとき切り替え車３１は、第１の車セット３１１を第２の車セット３１２から駆動して最終的に錘かな２１上に噛み合わせ、錘かな２１は、Ｓ１とは反対の回転Ｓ２の方向に駆動される。上記の特記事項はまた、りゅうず車３７１にも適用され、このりゅうず車３７１は、ムーブメント１が巻き上げられているときは第１の方向に、角穴車３３が、香箱から回転錘２によって形成された振動要素４２に向かってエネルギーを放出したときは反対方向に駆動される。
【００２０】
２つの連動列３および４が融合的に構成される本発明の好ましい変形形態を図示する図３のムーブメントの断面図は、前記２つの連動列３および４に共通する輪列のさまざまな要素の伝動をより明確に示している。したがって、輪列は、回転錘２から始まり、切り替え車３１の第１の車セット３１１上に噛み合い、車セット３１１は、第２の車セット３１２および前記第２の車セット３１２と同軸であるかな３１４を駆動させ、かな３１４は、次に、減速車セット３２と噛み合い、減速車セット３２の、噛み合わされた車３２１の上方に位置するかな３２２は、第２の減速車セット３４の車３４１を回転駆動させ、第２の減速車セット３４の底部かな３４２は、角穴車３３と噛み合い、角穴車３３は、香箱３６のぜんまいを巻き上げるように示されている。エネルギーは、主輪列７に向かって放出されるが、振動アラーム機構を始動させるためにこはぜ４１１によって本発明によって形成された、エネルギーを香箱３６内に保持するためのこはぜは、認識しやすくするために図示されていない。また、輪列のすべての要素がその上に置かれる板６、ならびに受け部３５および回転錘２の支持体５が、示されている。同じ輪列３３、３４２、３４１、３２２、３２１、３１４、３１２、３１１、２１が、振動要素４２として作用する回転錘の回転を作動させるために角穴車３３から反対方向に使用される。エネルギーを香箱３６から回転錘２の回転に変換するための連動列４は、香箱３６の巻上げに使用されるのと同じ輪列３を巻き上げる。したがって、本発明による振動アラーム機構のために、香箱３６の歯から開始する別の輪列を主輪列７と直列に置く必要はない。
【００２１】
本発明による時計ムーブメントの好ましい変形形態は、アラームの作動の持続時間を限定するためのデバイス４３を２つ以上含み、このデバイスは、主輪列７および振動アラーム機構の両方に動力供給する香箱３６からのエネルギー取り出しに関する上限を設定し、それにより、前記振動アラームの始動が、ムーブメントの動力の蓄えを有害な方法で変えることにより、ムーブメントの適切な作動に有害な影響を与えないようにする。
【００２２】
図１に示すように、本発明の好ましい変形形態によれば、このアラームの作動の持続時間を限定するためのデバイス４３は、図示する変形形態による連動列３、４の両方に共通する、たとえば減速車３２などの第２の連動列４の要素の１つと噛み合う車４３２と、前記車４３２と噛み合う第２のこはぜ４３１とを含む。しかし、アラームの作動の持続時間を限定するためのデバイス４３は、図示する実施形態の場合のように、運動巻上げ連鎖３および振動アラーム機構のための第２の連動列４に共通する要素と噛み合うとき、前記デバイスが、香箱３６が前記回転錘２に巻き上げられているときは機能せず、アラームが始動されたときにブロッキング効果を有することを確実にしなければならない。これは、第２のこはぜ４３１および車４３２内のノッチの特定の配置によって、たとえば傾斜形状を使用してこはぜが一方向のみに作動することを可能にして、達成され得る。
【００２３】
上記で説明した変形形態の限定機構の１つの欠点は、アラームの持続時間に関する上限を確実に設定するが、下限を設定しないことである。したがって、アラームが始動されたときにこはぜ４３１がノッチに非常に近づくこと、およびこの構成では、アラームが、始動されたほぼ直後に停止されることが全く可能である。これが、図示されない変形形態により、車４３２を、類似の方法で切り替え車に回転結合された２つの車セットから形成することもできる理由であり、第１の車セットは、こはぜ４３１を収容するノッチと一体になり、第２の車セットは、たとえば減速車３２などの連動列３、４の両方に共通する要素の１つと噛み合う。連動列と噛み合う車４３２の車セットが、香箱３６が巻き上げられているときに係合解除されるように配置される場合、これは、アラームが作動されたときに駆動することになり、アラームが始動されたときのこはぜ４３１の係合解除だけで、限定車４３２を十分係止解除する。この方法では、限定車４３２の回転は、限定されるだけでなく、アラームが始動されたとき、限定車４３２の１回だけの全回転に永久的に相当するものである。したがって、アラームの持続時間は、アラームが開始される毎に同一になり、前記持続時間は、このとき、限定車４３２内の歯の数によってのみ決定される。
【００２４】
したがって、さらに、連動列３、４のさまざまな要素の歯車比を、アラームの作動の持続時間を限定するためのデバイス４３、特に、限定車４３２の歯の数と組み合わせて構成することができ、それにより、アラームの作動は、香箱３６からのエネルギーを多く取りすぎることによって香箱３６を不当に空にすることなく、香箱３６の１回転、または１０秒程度の十分な時間の間振動を発生させるのに十分なエネルギーを提供する、当業者によって決定された任意の他の単位に限定される。このエネルギーはまた、機構の製造者が、残存する動力の蓄えの損失に対してアラームの持続時間を優先させることを望むかどうかに応じて、香箱の回転の一部または香箱の回転の所与の回数に対応することができる。本発明による振動アラーム機構が取り付けられた時計のユーザは、常に、アラーム機構が終了するたびに時計を巻く傾向があり、それにより、アラームが始動された後に時計を停止させても、ユーザに弊害をもたらさないはずである点について考慮され得る。
【００２５】
アラーム作動の持続時間を限定するためにアラームの作動の持続時間を限定するためのデバイス４３を使用し、そのために前記アラームの作動の持続時間を限定するためのデバイス４３が、限定車４３２の単一の回転に対応する持続時間の間だけ作動されることが望ましいこの実施形態によれば、第２のアラーム持続時間の限定こはぜ４３１と、振動アラーム機構をブロッキングするための第１のこはぜ４１１を結合させることが必要になる。実際、これらのこはぜ４１１、４３１の一方または他方が解放されない場合、エネルギーを香箱３６から、振動アラーム機構の振動要素４２を形成する回転錘２に向けて放出することが不可能になる。この結合は、こはぜ４１１、４３１と一体になるピン４４を介して達成され、図１に見られ得る。しかし、当業者は、特に持続時間が単に限定されるだけで常に等しくなる必要が無い場合、たとえば限定車４３２が、単一の車セットおよび１つの非対称のこはぜから形成される、すなわち、このこはぜが、香箱３６が回転錘２によって巻き上げられることを可能にするが、同じ連動列３、４の反対方向では振動アラーム機構の始動をブロッキングする場合などに、最大のアラーム作動の持続時間の選択に関係なく、この結合フィーチャが達成され得ることを理解するであろう。
【００２６】
当業者は、上記で説明した変形形態が、例として与えられ、どのような場合であっても限定するものと解釈してはならないことを理解するであろう。本発明はまた、時計、たとえばケースおよび前記ケース内に収容された、先に説明した実施形態のいずれかによる時計ムーブメントを含む腕時計にも関する。
【符号の説明】
【００２７】
１  ムーブメント；  ２  回転錘；  ２１  錘かな；  ２１  錘かなの回転軸；  
３  （自動巻上げ用）連動列；  ３１  切り替え車；  ３１１  第１歯車部；  
３１２  第２歯車部；  ３１３  こはぜ；  ３１４  第２歯車部のかな；  
３２  第１の減速車セット；  ３２１  減速車セットの車；
３２２  減速車セットのかな；  ３３  角穴車；  ３４  角穴中間車  ；  
３４１  第２の減速車セットの車；  ３４２  第２の減速車のかな；  
３５  受け部；  ３６  香箱；  ３７  手動巻上げ機構；  
３７１  りゅうず車；  ３７２  香箱３６のための巻真；  
４  振動アラーム機構用連動列；  ４１  作動デバイス；  
４１１  こはぜ；  ４１２  ばね；  ４２  振動アラーム機構の振動要素；  
４３  振動アラームの作動の持続時間を限定するデバイス；  
４３１  持続時間を限定するための車；  ４３２  持続時間を限定するためのこはぜ；  
４４  こはぜ４１１、４３１の結合ピン；  ５  回転錘の支持体；  ６  板；  
７  主輪列。
【図１】
0005635387.tif 000002
【図２】
0005635387.tif 000003
【図３】
0005635387.tif 000004